(57)【特許請求の範囲】
【請求項１】
駆動力源の出力を、ロックアップクラッチを有するトルクコンバータを介して変速機から出力する車両の発進制御装置であって、
前記車両の発進要求を検出する発進要求検出部と、
前記車両の発進要求と同時に前記ロックアップクラッチの締結力を制御する油圧制御回路と、
前記発進要求検出部により発進要求を検出してから所定時間が経過したときに、前記ロックアップクラッチがスリップ係合してトルクを伝達可能となるように前記油圧制御回路に指令する締結制御部と、
を備えることを特徴とする車両の発進制御装置。
【請求項２】
前記締結制御部は、前記発進要求検出部により発進要求を検出してから所定時間が経過するまで、前記ロックアップクラッチがトルクを伝達しない範囲にて該ロックアップクラッチの摩擦フェーシング同士を近接させるためのスタンバイ圧を、前記油圧制御回路に指令することを特徴とする請求項１に記載の車両の発進制御装置。
【請求項３】
前記スタンバイ圧は、前記ロックアップクラッチがトルクを伝達しない範囲にて該ロックアップクラッチの摩擦フェーシング同士を近接させるための第２スタンバイ圧と、前記第２スタンバイ圧よりも低い圧力で前記ロックアップクラッチの摩擦フェーシング同士を近接させる第１スタンバイ圧と、を有することを特徴とする請求項２に記載の車両の発進制御装置。
【請求項４】
前記駆動力源が出力する駆動力要求を検出する駆動力要求検出部を備え、
前記締結制御部は、前記駆動力要求検出部が検出した駆動力要求が大きいほど、前記所定時間を大きく設定することを特徴とする請求項１から３のいずれか一つに記載の車両の発進制御装置。
【請求項５】
前記駆動力源が出力する駆動力要求を検出する駆動力要求検出部を備え、
前記締結制御装置は、前記発進検出部により発進要求を検出してから所定時間が経過するまでは、前記駆動力要求が最大となり前記油圧制御回路のライン圧が上昇した場合にも、前記ロックアップクラッチがトルクを伝達不能となるように前記油圧制御回路に指令することを特徴とする請求項１から４のいずれか一つに記載の車両の発進制御装置。
【請求項６】
前記駆動力要求検出部は、アクセルペダルの開度及びアクセルペダルの開速度、並びに、前記駆動力源の出力トルク及び前記駆動力源の出力トルクの変化量、の少なくとも一方に基づいて、前記駆動力源が出力する駆動力要求を検出することを特徴とする請求項４又は５に記載の車両の発進制御装置。
【請求項７】
前記駆動力源が出力する駆動力要求を検出する駆動力要求検出部を備え、
前記締結制御部は、
前記発進要求を検出してから所定時間が経過するまで、前記ロックアップクラッチがトルクを伝達しない範囲にて該ロックアップクラッチの摩擦フェーシング同士を近接させるためのスタンバイ圧を前記油圧制御回路に指令し、
前記所定時間経過後は、前記ロックアップクラッチがトルクを伝達可能となるまで、指令値を上昇させ、
前記駆動力要求が大きいほど、前記ロックアップクラッチがトルクを伝達可能となるまで、指令値が大きな変化勾配で上昇させることを特徴とする請求項１から６のいずれか一つに記載の車両の発進制御装置。
【請求項８】
前記発進要求を検出してから所定時間が経過するまで、前記スタンバイ圧からトルクを伝達可能となるまで、指令値をステップ状に上昇させることを特徴とする請求項６に記載の車両の発進制御装置。
【請求項９】
前記発進要求を検出してから所定時間が経過するまで、前記スタンバイ圧からトルクを伝達可能となるまで、指令値をステップ状に上昇させてから所定の変化勾配で上昇させる、又は、指令値を所定の変化勾配で上昇させてからステップ状に上昇させることを特徴とする請求項６に記載の車両の発進制御装置。
【請求項１０】
駆動力源の出力を、ロックアップクラッチを有するトルクコンバータを介して変速機から出力する車両の発進制御装置であって、
前記車両の発進要求を検出する発進要求検出部と、
前記発進要求検出部により発進要求を検出してから所定時間が経過したときに、前記ロックアップクラッチがスリップ係合してトルクを伝達可能となるように前記ロックアップクラッチを制御する締結制御部と、
を備えることを特徴とする車両の発進制御装置。
【請求項１１】
駆動力源の出力を、ロックアップクラッチを有するトルクコンバータを介して変速機から出力する車両の発進制御方法であって、
前記車両の発進要求を検出する手順と、
前記車両の発進要求と同時に前記ロックアップクラッチの締結力を制御する手順と、
前記車両の発進要求を検出してから所定時間が経過したときに、前記ロックアップクラッチがスリップ係合してトルクを伝達可能となるように前記油圧制御回路に指令する手順と、
前記ロックアップクラッチの締結力を制御して、前記ロックアップクラッチが伝達可能なトルクを制御する手順と、
を有することを特徴とする車両の発進制御方法。
【発明の詳細な説明】
【技術分野】
【０００１】
本発明は、車両の発進制御装置及び発進制御方法に関する。
【背景技術】
【０００２】
ロックアップクラッチを有するトルクコンバータを備える車両において、車両の発進時に、ロックアップクラッチをスリップ制御させることでトルクの伝達効率を向上し、燃費効率を向上するように制御する技術が知られている（特許文献１参照）。
【先行技術文献】
【特許文献】
【０００３】
【特許文献１】特開２０１０−２７０８２２号公報
【発明の概要】
【発明が解決しようとする課題】
【０００４】
従来技術では、車両の発進要求があったときに、ロックアップクラッチを締結する指令を行う。このとき、発進要求に伴ってエンジンのトルクが上昇することで、エンジンにより駆動されるオイルポンプの油圧が増大し、ロックアップクラッチに供給される油圧の元圧となるライン圧が増大する。
【０００５】
このライン圧の増大によって、ロックアップクラッチの指令圧に対して実油圧が増大方向にずれることがある。実油圧が増大すると、ロックアップクラッチのトルク伝達容量が増大して駆動系にショックが発生し、運転者に違和感を与える虞がある。
【０００６】
本発明はこのような問題点に鑑みてなされたものであり、車両の発進時にロックアップクラッチのスリップ制御を行うときに、ショックの発生を防止できる車両の発進制御装置及び発進制御方法を提供することを目的とする。
【課題を解決するための手段】
【０００７】
本発明の一実施態様によると、駆動力源の出力を、ロックアップクラッチを有するトルクコンバータを介して変速機から出力する車両の発進制御装置に適用される。この車両の発進制御装置は、車両の発進要求を検出する発進要求検出部と、ロックアップクラッチの締結力を制御する油圧制御回路と、発進要求検出部により発進要求を検出してから所定時間が経過したときに、ロックアップクラッチがトルクを伝達可能となるように油圧制御回路に指令する締結制御部と、を備えることを特徴とする。
【発明の効果】
【０００８】
上記態様によると、車両の発進要求を検出してから、所定時間が経過した後にロックアップクラッチがトルクを伝達可能となるように制御されるので、発進要求に基づき駆動力源トルクが上昇してライン圧が増大するときはロックアップクラッチをトルクが伝達しないように制御できる。これにより、ロックアップクラッチのトルク伝達容量が増大することが防止されて、車両発進時のショックを防止することができる。
【図面の簡単な説明】
【０００９】
【図１】本発明の実施形態の車両の駆動装置及び制御装置の説明図である。
【図２】本発明の実施形態のコントローラを中心とした機能ブロック図である。
【図３】本発明の実施形態の車両発進制御のフローチャートである。
【図４】本発明の実施形態の車両の発進制御の説明図である。
【図５】本発明の実施形態の所定時間Ｔを取得するためのマップの一例を示す。
【図６】本発明の実施形態の所定の勾配Ｃの設定の説明図である。
【図７】本発明の実施形態の勾配Ｃの設定の説明図をそれぞれ示す。
【発明を実施するための形態】
【００１０】
図１は、本発明の実施形態の車両の発進制御装置にかかる車両の駆動装置及び制御装置の説明図である。
【００１１】
車両にはエンジン１が搭載され、このエンジン１の出力はクランク軸３６から出力され、クランク軸３６に連結されるトルクコンバータ３０に入力される。トルクコンバータ３０は、ロックアップクラッチ３５を有している。トルクコンバータ３０の出力は変速機入力軸３７を介して変速機４に入力される。変速機４の出力は、終減速装置６を介して駆動輪７を回転させる。
【００１２】
車両には、トルクコンバータ３０及び変速機４に供給する油圧を制御し、これらの動作を制御する油圧制御回路１１が備えられている。また、車両には、この油圧制御回路１１の動作を制御するコントローラ１２が備えられている。
【００１３】
コントローラ１２には、ドライバによるアクセルペダルの操作量（アクセル開度ＡＰＯ）を検出するアクセル開度センサ４１と、ドライバによるシフトレバー操作状態を検出するインヒビタスイッチ４６と、ブレーキペダルの操作量（ブレーキペダル踏込量）ＢＲＫを検出するブレーキセンサ４７と、からの信号か入力される。
【００１４】
また、コントローラ１２には、エンジン１から、スロットル開度ＴＶＯ、エンジン回転速度Ｎｅ、エンジントルクＴｒｑ等の信号が入力される。
【００１５】
また、コントローラ１２には、変速機４から、変速機入力回転速度Ｎｉ、変速機出力回転速度Ｎｏが入力される。なお、変速機出力回転速度Ｎｏに終減速比やタイヤ径など所定の係数を乗じることで車速ＶＳＰが入力される。
【００１６】
コントローラ１２は、アクセル開度ＡＰＯ、車速ＶＳＰ等の検出値から変速機４の目標変速比を判定し、この判定結果に基づいて、変速機４の実変速比がこの目標変速比となるように油圧制御回路１１に指令を出力する。変速機４は、有段変速機であってもよいし、無段変速機であってもよい。
【００１７】
また、コントローラ１２は、トルクコンバータ３０のロックアップクラッチ３５の締結状態を判定し、この判定結果に基づいてロックアップクラッチ３５の締結状態を制御する指令を油圧制御回路１１に出力する。
【００１８】
トルクコンバータ３０は、入力要素であるポンプインペラ３１、出力要素であるタービンランナ３２及び反力要素であるステータ３３を備える。
【００１９】
ポンプインペラ３１は、トルクコンバータカバー３４を介してエンジン１からの駆動力により駆動される。タービンランナ３２は、ポンプインペラ３１とトルクコンバータカバー３４とにより形成されるコンバータ室に備えられ、ポンプインペラ３１に対向して配置される。ポンプインペラ３１の内周とタービンランナ３２の内周との間にはステータ３３が介在している。
【００２０】
トルクコンバータ３０は、エンジン１により回転されるポンプインペラ３１が作動流体を撹拌し、ステータ３３による反力によってタービンランナ３２がトルク増大しつつ駆動して、タービンランナ３２からの出力が変速機入力軸３７を介して変速機４に伝動される。
【００２１】
また、トルクコンバータ３０は、トルクの増大やトルクの変動吸収が不要な場合は、ロックアップクラッチ３５を締結状態とすることにより、ポンプインペラ３１とタービンランナ３２との間を機械的に直結する。
【００２２】
トルクコンバータ３０のトルクコンバータカバー３４にはオイルポンプ３９が備えられている。オイルポンプ３９は、エンジン１の駆動力により回転され油圧を発生する。発生した油圧は油圧制御回路１１に供給される。
【００２３】
油圧制御回路１１は、コンバータ室側に供給するアプライ圧Ｐａと、ロックアップクラッチ側に供給するレリーズ圧Ｐｒとをそれぞれ制御する。アプライ圧とレリーズ圧との差圧（Ｐａ−Ｐｒ）によって摩擦フェーシング同士を近接させた後に接触させて、ロックアップクラッチ３５の締結力を制御する。
【００２４】
図２は、コントローラ１２を中心とした機能ブロック図である。
【００２５】
コントローラ１２は、図２に示すように、ＣＰＵ１２１と、ＲＡＭ・ＲＯＭからなる記憶装置１２２と、入力インターフェース１２３と、出力インターフェース１２４と、これらを相互に接続するバス１２５とから構成される。
【００２６】
入力インターフェース１２３には、アクセルペダルの開度（アクセル開度ＡＰＯ）を検出するアクセル開度センサ４１の出力信号、変速機４からの出力信号（変速機入力回転速度Ｎｉ、変速機出力回転速度Ｎｏ、車速ＶＳＰ等）、エンジン１の回転速度センサ４２からのエンジン回転速度Ｎｅ、トルクセンサ４４からのエンジントルクＴｒｑの信号、ブレーキペダルの踏込及びブレーキ液の液圧を検出するブレーキセンサ４７からの入力信号、セレクトレバーの位置を検出するインヒビタスイッチ４６の出力信号などが入力される。
【００２７】
記憶装置１２２には、変速機４の変速制御プログラム、この変速制御プログラムで用いる変速マップが格納されている。ＣＰＵ１２１は、記憶装置１２２に格納されている変速制御プログラムを読み出して実行し、入力インターフェース１２３を介して入力される各種信号に対して各種演算処理を施して指令信号を生成し、生成した指令信号を、出力インターフェース１２４を介して油圧制御回路１１に出力する。ＣＰＵ１２１が演算処理で使用する各種値、その演算結果は記憶装置１２２に適宜格納される。
【００２８】
油圧制御回路１１は複数の流路、複数の油圧制御弁で構成される。油圧制御回路１１は、コントローラ１２からの指令信号に基づき、複数の油圧制御弁を制御して油圧の供給経路を切り換えるとともにオイルポンプ３９で発生した油圧から必要な油圧を調製し、これを変速機４及びトルクコンバータ３０の各部位に供給する。これにより、変速機４の変速が行われる。
【００２９】
また油圧制御回路１１は、コントローラ１２からの指令に基づいて、ロックアップクラッチ３５のトルク容量を制御する。
【００３０】
具体的には、アプライ圧Ｐａ＜レリーズ圧Ｐｒの場合はロックアップクラッチ３５が締結されず、トルクコンバータ３０はコンバータ状態となる。アプライ圧Ｐａ≧レリーズ圧Ｐｒの場合は、差圧（Ｐａ−Ｐｒ）に従ってロックアップクラッチ３５の締結力が増加し、所定の差圧においてロックアップクラッチ３５の締結力が最大となる。ロックアップクラッチ３５の締結力は、ロックアップクラッチ３５が伝達可能なトルクであるトルク容量を発生させる。
【００３１】
なお、ロックアップクラッチ３５は、締結力が最大でない場合は、トルクコンバータ３０の入力回転速度（エンジン回転速度Ｎｅと等しい）と出力回転速度（変速機入力回転速度Ｎｉと等しい）とが差回転を生じるスリップ係合状態となる。
【００３２】
次に、このように構成された車両の発進時の動作について説明する。
【００３３】
本発明の実施形態の車両は、車両が発進するときに、トルクコンバータ３０のロックアップクラッチ３５をスリップ係合状態に制御する。
【００３４】
発進時にスリップ係合状態に制御することにより、エンジン１のトルクが、トルクコンバータ３０で伝達されるのと並行して、ロックアップクラッチ３５を介しても伝達される。これによりエンジン１のトルクの伝達効率が上昇して、エンジン１の回転速度の上昇が抑えられるので、燃費効率を向上することができる。
【００３５】
ところで、車両が発進するときは、アクセル開度ＡＰＯの増大に伴いトルクコンバータ３０及び変速機４にて必要とされる油圧が増大する。従って、油圧制御回路１１におけるライン圧を増大させる。
【００３６】
このとき、ライン圧を元圧としたアプライ圧Ｐａとレリーズ圧とＰｒとの差圧によって制御されているロックアップクラッチ３５では、ライン圧が増大することにより、差圧の指令値に対する実差圧とに差が生じる場合がある。
【００３７】
この場合、指令差圧に対して実差圧が過多となり、ロックアップクラッチ３５のトルク容量が過多となって、エンジン回転速度Ｎｅが低下する（引き込まれる）ことにより、ショックが発生したり、車両の加速度が減少したりすることにより運転者に違和感を与える可能性がある。
【００３８】
これに対して、本発明の実施形態では、次のように、車両発進時にロックアップクラッチ３５の締結力を制御して、運転者に違和感を与えることを防止する。
【００３９】
ここで、発進時にロックアップクラッチ３５をスリップ係合状態にする、いわゆる、発進スリップ制御について説明する。ブレーキペダルが踏み込まれた停車状態から、運転者がブレーキペダルを開放し、アクセルペダルを踏み込んで車両を発進させる際に、コントローラ１２は、ブレーキペダルの開放判定に基づきロックアップクラッチ３５のトルク容量が増大するよう油圧指令を出力し、ロックアップクラッチ３５をスリップさせながら発進する。発進以降のロックアップクラッチ３５のスリップ量は、車速の上昇に伴い徐々に低減するようロックアップクラッチ３５のトルク容量を制御して、所定車速においてスリップ量をゼロ、すなわち、ロックアップクラッチ３５を完全締結状態とする。このように、発進スリップ制御とは、ブレーキペダルの開放判定に基づきロックアップクラッチ３５を制御し、車速の上昇に伴い徐々にスリップ量を低減して完全締結させる制御のことをいう。
【００４０】
図３は、本発明の実施形態のコントローラ１２が実行する車両発進制御のフローチャートである。
【００４１】
図３に示すフローチャートは、車両が停止状態であることを検出した場合に、コントローラ１２により、コントローラ１２が行う他の処理と並行して実行される。
【００４２】
まず、コントローラ１２は、ブレーキセンサ４７からの信号に基づいて、運転者がブレーキペダルの踏み込みを開放したか（ブレーキペダルから足を離したか）を判定する（Ｓ１０）。ブレーキペダルが踏み込まれている場合はこのステップＳ１０を繰り返して、待機する。なお、本発明の実施形態では、ブレーキペダルが離されてからアクセルペダルが踏み込まれるまでの間を第１フェーズと呼ぶ。
【００４３】
ブレーキセンサ４７から足を離したと判定した場合は、運転者が車両の発進を指令したことを検出したと判定する。そこで、ステップＳ２０に移行して、コントローラ１２は、油圧制御回路１１にロックアップクラッチ３５の差圧（Ｐａ−Ｐｒ）が第１スタンバイ圧となるように指令を出力する。油圧制御回路１１は、この指令を受けて、差圧が第１スタンバイ圧となるようにロックアップクラッチ３５に供給する油圧を制御する。
【００４４】
なお、第１スタンバイ圧とは、ロックアップクラッチ３５がトルク容量を持つ以前の状態でロックアップクラッチ３５の締結準備を行う状態である。例えば、アプライ圧Ｐａに対してレリーズ圧Ｐｒが若干低い圧となる制御としてロックアップクラッチ３５の摩擦フェーシング同士を接近させてトルク容量が発生しない程度に差圧を制御する。
【００４５】
次に、コントローラ１２は、アクセル開度センサ４１入力された信号に基づいて、運転者によってアクセルペダルが踏み込まれアクセル操作がＯＦＦからＯＮになったか否かを判定する（Ｓ３０）。
【００４６】
アクセルペダルが踏み込まれていない場合は、ステップＳ２０に戻り、ロックアップクラッチ３５を第１スタンバイ圧に維持する。
【００４７】
アクセルペダルが踏み込まれたと判定した場合は、運転者からの駆動力要求が検出されたと判断する。そこで、ステップＳ４０に移行して、コントローラ１２は、ステップＳ２０で設定した第１のスタンバイ圧を増大させた第２のスタンバイ圧を指令する。
【００４８】
なお、第２スタンバイ圧とは、ロックアップクラッチ３５がトルク容量を持つ以前の状態でロックアップクラッチ３５の締結準備を行う状態であり、アプライ圧Ｐａとレリーズ圧Ｐｒとの差が僅少となるように制御してロックアップクラッチ３５の摩擦フェーシング同士をより接近させてトルク容量が発生しない程度に圧力に制御する。
【００４９】
さらに、第２スタンバイ圧は、アクセル開度ＡＰＯに伴ってエンジン回転速度Ｎｅが増大してライン圧が増大したときにも、ロックアップクラッチ３５がトルク容量を持つ以前の状態に制御できる差圧である。ロックアップクラッチ３５がトルク容量を持つ以前の状態に制御することにより、以降の第３フェーズにおいてロックアップクラッチ３５がトルク容量を持つまでの時間が短縮される。
【００５０】
次に、コントローラ１２は、ステップＳ５０に移行して、アクセル開度ＡＰＯやエンジントルクＴｒｑに基づき時間設定値マップを参照して、所定時間Ｔを取得する。そして、ステップＳ６０に移行して、取得した所定時間Ｔの経過が満了したか否かを判定する。
【００５１】
所定時間Ｔの経過が満了していない場合は、ステップＳ４０に戻り、コントローラ１２は、ステップＳ４０で設定したロックアップクラッチ３５の差圧を維持する。
【００５２】
このとき、アクセル開度ＡＰＯやエンジントルクＴｒｑが変化して時間設定値マップによる所定時間Ｔの値が変化した場合は、最初に取得した所定時間ＴよりもＴの値が大きくなった（所定時間が長くなった）場合にのみ、新たな所定時間Ｔの経過が満了するまで待機する。これは、たとえアクセル戻し操作が行われ駆動力が小さいと判断されて所定時間Ｔが小さくなるが、この小さいＴを再設定してしまうと、ロックアップクラッチ３５がトルク容量を持つ時間が前倒しされてエンジン回転数Ｎｅが引き込まれることによりショックが発生することを防止するためである。
【００５３】
なお、本発明の実施形態では、アクセルペダルの踏み込みを検出して車両の駆動力要求がなされてから、所定時間Ｔの経過が満了するまでの間を第２フェーズと呼ぶ。
【００５４】
所定時間Ｔの経過が満了したと判定した場合は、ステップＳ７０に移行し、コントローラ１２は、アクセル開度ＡＰＯに基づいてロックアップクラッチ３５の差圧（Ｐａ−Ｐｒ）を、所定の勾配で増加させて、ロックアップクラッチ３５を締結側へと制御する。
【００５５】
このステップＳ７０の後、所定の条件（例えば、ロックアップクラッチ３５がスリップ係合状態からロックアップ状態となった等）が成立したときに、本フローチャートの処理を終了し、コントローラ１２で行われる他の処理を実行する。なお、本発明の実施形態では、所定時間Ｔの経過が満了してからロックアップクラッチ３５が締結するまでの間を第３フェーズと呼ぶ。
【００５６】
このような制御によって、車両の発進時にロックアップクラッチ３５の締結力の制御が行われる。
【００５７】
図４は、本発明の実施形態の車両の発進制御の説明図である。
【００５８】
図４は、上段から、ブレーキペダルの操作状態、アクセルペダルの操作状態、エンジン回転速度Ｎｅ、タービン回転速度Ｎｔｂ、車速ＶＳＰ、油圧制御回路１１のライン圧、ロックアップクラッチ３５の差圧（指令圧）の状態がそれぞれ示されている。
【００５９】
車両が停車中は運転者によってブレーキペダルの踏み込みが行われている（ブレーキ操作がＯＮ）。ここで、タイミングｔ１において、運転者によってブレーキペダルの踏み込みが解除された場合（ブレーキ操作がＯＦＦ）は、車両の発進が意図されたと判断する。なお、ブレーキペダルは手動で操作するもの（レバーやスイッチ）であってもかまわない。
【００６０】
このとき、コントローラ１２は、図３のステップＳ１０の判定がＹＥＳとなり、ステップＳ２０でロックアップクラッチ３５の差圧を第１スタンバイ圧に制御する（第１フェーズ）。
【００６１】
次に、運転者がアクセルペダルの踏み込みが行われた場合（アクセル操作がＯＮ）は、駆動力要求が検出されたと判断する。
【００６２】
図３のステップＳ３０の判定がＹＥＳとなり、コントローラ１２は、ステップＳ４０の処理によりロックアップクラッチ３５を第１のスタンバイ圧から増加させた第２のスタンバイ圧に制御する。この第２のスタンバイ圧による制御を所定時間Ｔの経過が満了するまで行う（第２フェーズ）。
【００６３】
このとき、アクセルペダルの踏み込みによってエンジン回転速度Ｎｅが上昇する。このエンジン回転速度Ｎｅの上昇に伴ってオイルポンプ３９の駆動力が増大し、ライン圧が増大する。これにより、ロックアップクラッチ３５に対する差圧の指令圧（実線で示す）に対して、実差圧（細点線で示す）が過渡的に増大する。このように実差圧が増大した場合にもロックアップクラッチ３５がトルク容量を持たないように、第２スタンバイ圧の上限値が制御される。
【００６４】
所定時間Ｔの経過が満了した場合は、図３のステップＳ６０の判定がＹＥＳとなり、コントローラ１２は、ステップＳ７０において、アクセル開度ＡＰＯに基づいてロックアップクラッチ３５の差圧を所定の勾配で増加させて、ロックアップクラッチ３５が締結するまで制御する（第３フェーズ）。
【００６５】
次に、図３のステップＳ４０における第２のスタンバイ圧について具体的に説明する。
【００６６】
コントローラ１２は、ロックアップクラッチ３５の差圧を制御してロックアップクラッチ３５の締結を制御する。このとき、第２フェーズでは、ロックアップクラッチ３５を直ちに締結状態とせず、所定のトルク容量を持ち始める手前の状態（第２スタンバイ圧）で、所定時間Ｔだけ待機する。
【００６７】
このときの第２スタンバイ圧は、第１スタンバイ圧に所定値Ａを加算した値とする。この所定値Ａはアクセル開度ＡＰＯに基づいて設定する。
【００６８】
たとえばアクセル開度ＡＰＯが小さい場合（たとえば１／８未満の場合）では、所定値Ａをゼロとして、第２フェーズにおいても所定時間Ｔの経過が満了するまでは、第２スタンバイ圧が第１スタンバイ圧のまま維持する（図４に実線で示す）。
【００６９】
また、アクセル開度が大きい場合（たとえば１／８以上の場合）では、第１スタンバイ圧と第２スタンバイ圧の上限値との間の範囲で、アクセル開度ＡＰＯに応じてＡを設定する。第２スタンバイ圧を、第１スタンバイ圧に設定されたＡを加算した値に設定し、第２フェーズに移行したとき（アクセル操作がＯＮになったとき）に、ステップ状に第２スタンバイ圧へと変更する（図４に点線で示す）。
【００７０】
なお、この第２スタンバイ圧の上限値は、アクセル操作がＯＮされて、オイルポンプ３９が駆動されて油圧制御回路１１のライン圧が増大した状態において、指令差圧と実差圧とのばらつきによってもロックアップクラッチ３５がトルク容量を持たない最大の差圧に設定する。このように第２スタンバイ圧を設定することにより、ライン圧が増大したときにもロックアップクラッチ３５がトルク容量を持たないように制御することができるので、第２フェーズの間はエンジン回転速度Ｎｅの引き込みが防止される。
【００７１】
または、第１スタンバイ圧に所定値Ａを加算するのではなく、第１スタンバイ圧に所定勾配Ｂを乗算して、タイミングｔ２からタイミングｔ３までの間で、第１スタンバイ圧から第２スタンバイ圧へと差圧を漸次増加させように制御してもよい（図４に一点鎖線で示す）。
【００７２】
またさらに、第２フェーズにおいて第２スタンバイ圧の上限値を超えない範囲であれば、第２スタンバイ圧をどのように変化させてもよい。例えば第１スタンバイ圧から所定値Ａに満たない一定の値まで所定勾配Ｂで上昇させた後、所定値Ａを加算した値までステップ状に上昇させてもよいし、その逆に、第１スタンバイ圧から所定値Ａに満たない一定の値までステップ状に上昇させた後、所定値Ａを加算した値まで所定勾配Ｂで上昇させてもよい。
【００７３】
このように、第２フェーズにおいてロックアップクラッチ３５を第１スタンバイ圧から第２スタンバイ圧に上昇させることで、以降の第３フェーズにおいてロックアップクラッチ３５がトルク容量を持つまでの時間を短縮できる。
【００７４】
次に、図３のステップＳ５０における所定時間Ｔの取得について説明する。
【００７５】
図５は、本発明の実施形態の所定時間Ｔを取得するためのマップの一例を示す。
【００７６】
図５（Ａ）は、アクセル開度ＡＰＯとアクセル開度ＡＰＯの時間変化量（アクセル開速度ΔＡＰＯ）とで示される時間設定マップの一例である。図５（Ｂ）はエンジンの出力トルクＴｒｑと、エンジンの出力トルクの時間変化量（エンジントルク変化速度ΔＴｒｑ）とで示される時間設定マップの一例である。
【００７７】
所定時間Ｔは、コントローラ１２が、タイミングｔ２時点、すなわち、運転者によってアクセルペダルが操作されたときのアクセル開度ＡＰＯとアクセル開速度ΔＡＰＯとから、図５（Ａ）に示す時間設定マップを参照して、所定時間Ｔを取得する。
【００７８】
この時間設定マップは、アクセル開度ＡＰＯが大きいほど所定時間Ｔが大きく設定され、また、アクセル開速度ΔＡＰＯが大きいほど、所定時間Ｔが大きく設定されている。
【００７９】
アクセル開度ＡＰＯが大きいほど、エンジン回転速度Ｎｅが上昇してライン圧が高くなる。そのため、このライン圧の大きさに対応して所定時間Ｔを大きく設定することで、ライン圧の増大によりロックアップクラッチ３５のトルク容量が増大してエンジン回転速度Ｎｅの引き込みが大きくなることを防止する。
【００８０】
なお、アクセル開度ＡＰＯが大きくてもアクセル開速度ΔＡＰＯが小さければ実油圧は指令圧に（オーバーシュートせずに）追従して、トルク容量が過多とはならないので、アクセル開速度ΔＡＰＯが小さい場合は所定時間Ｔを小さく設定する。
【００８１】
一方、逆にアクセル開度ＡＰＯが小さくてもアクセル開速度ΔＡＰＯが大きければ実油圧は指令圧に追従できなくなり、オーバーシュートする分だけトルク容量が過多となるので、アクセル開速度ΔＡＰＯが大きい場合は所定時間Ｔを大きく設定する。
【００８２】
また、コントローラ１２は、タイミングｔ２時点でのエンジン１から取得したエンジントルクＴｒｑとエンジントルク変化速度ΔＴｒｑとから、図５（Ｂ）に示す時間設定マップを参照して、所定時間Ｔを取得してもよい。
【００８３】
この時間設定マップは、エンジントルクＴｒｑが大きいほど所定時間Ｔが大きく設定され、また、エンジントルク変化速度ΔＴｒｑが大きいほど、所定時間Ｔが大きく設定されている。
【００８４】
前述の図５（Ａ）におけるアクセル開度ＡＰＯと同様に、アクセル開度ＡＰＯに基づきエンジン１が発生するエンジントルクが大きいほどライン圧が高くなる。そのため、このライン圧の大きさに対応して所定時間Ｔを大きく設定することで、ライン圧の増大によりロックアップクラッチ３５のトルク容量が増大してエンジン回転速度Ｎｅの引き込みが大きくなることを防止する。
【００８５】
なお、エンジントルクＴｒｑが大きくてもエンジントルク変化速度ΔＴｒｑが小さければ実油圧は指令圧に（オーバーシュートせずに）追従して、トルク容量が過多とはならないので、エンジントルク変化速度ΔＴｒｑが小さい場合は所定時間Ｔを小さく設定する。
【００８６】
一方、逆にエンジントルクＴｒｑが小さくてもエンジントルク変化速度ΔＴｒｑが大きければ実油圧は指令圧に追従できなくなり、オーバーシュートする分だけトルク容量が過多となるので、エンジントルク変化速度ΔＴｒｑが大きい場合は所定時間Ｔを大きく設定する。
【００８７】
このように、コントローラ１２は、タイミングｔ１時点でのアクセル開度ＡＰＯ及びアクセル開速度ΔＡＰＯに基づいて、または、エンジントルクＴｒｑ及びエンジントルク変化速度ΔＴｒｑ基づいて、所定時間Ｔを取得する。
【００８８】
なお、この図５（Ａ）の時間設定マップ及び図５（Ｂ）に示す時間設定マップのいずれか一方又は両方に基づいて、所定時間Ｔを取得してもよい。
【００８９】
より具体的には、コントローラ１２は、アクセル開度ＡＰＯをアクセル開度センサから得る一方、エンジントルクＴｒｑはエンジン１の内部（例えばエンジンコントローラユニット）により演算されて出力される信号から得る。従って、アクセル開度ＡＰＯ信号がエンジントルクＴｒｑ信号よりも早く得られるという利点がある。また、エンジントルクＴｒｑはエンジン１での演算により値が補正されているため、アクセル開度ＡＰＯ信号と比較すると信号の正確性が低い。一方、駆動力要求の大きさを検出するという点では、駆動力の大きさが直接示されるエンジントルクＴｒｑを用いた方が、所定時間Ｔの算出値が正確となる。
【００９０】
次に、第３フェーズにおけるロックアップクラッチ３５の差圧を所定の勾配で増加させる制御を説明する。
【００９１】
図６及び図７は、本発明の実施形態の第３フェーズにおける所定の勾配Ｃの設定の説明図である。図６は、勾配Ｃの説明図、図７は、勾配Ｃの設定の説明図をそれぞれ示す。
【００９２】
第３フェーズにおいて、コントローラ１２は、アクセル開度ＡＰＯに基づいて、ロックアップクラッチ３５の差圧を、所定の勾配Ｃによって増加させるように制御する。
【００９３】
ロックアップクラッチ３５の差圧を増加させることによりトルク容量を持つことになったときに、エンジン回転速度Ｎｅがロックアップクラッチ３５を介して伝達されることによるトルクの低下（トルクの引き込み）が発生する。
【００９４】
図７において、アクセルペダルが開放された状態からアクセル開度ＡＰＯが比較的大きく踏み込まれた場合（例えば４／８）のトルクの変化を実線で示し、アクセルペダルが開放された状態からアクセル開度ＡＰＯが比較的小さく踏み込まれた場合（例えば１／８）のトルクの変化を一点鎖線で示す。
【００９５】
図７において、タイミングｔ１１でトルク容量を持ち始め、タイミングｔ１２でトルク容量が最大となりロックアップクラッチが締結された状態となったことを示す。
【００９６】
このタイミングｔ１２において、ロックアップクラッチ３５のトルク容量によるトルクの引き込みは、アクセル開度ＡＰＯの大きさにかかわらず、略一定（ｂ）となる。
【００９７】
従って、トルクの引き込みの大きさは、アクセル開度ＡＰＯが大きい場合は、トルクａとｂとの比（ｂ／ａ）となる。一方、アクセル開度ＡＰＯが小さい場合は、トルクａ’とｂとの比（ｂ／ａ’）となる。このとき、勾配Ｃの値が同一（Ｃ１）であると、（ｂ／ａ’）＞（ｂ／ａ）となるので、アクセル開度ＡＰＯが小さい場合のトルクの引き込みが大きくなり、車両にショックが発生するなど、運転者に違和感を与える。
【００９８】
そこで、アクセル開度ＡＰＯが小さい場合には、トルクの引き込みが小さくなるように、勾配Ｃをより小さい値としたＣ２（図６参照）に設定する。この勾配Ｃ２に設定した場合のトルクの引き込みがｂ’とした場合に、（ｂ’／ａ’）≒（ｂ／ａ）となるようにＣ２を設定する。
【００９９】
このように、コントローラ１２は、アクセル開度ＡＰＯの大きさに基づいて、ロックアップクラッチ３５がトルク容量を持ったときのエンジン１のトルクとトルクの引き込みの大きさとの比が略一定となるように、第３フェーズにおける勾配Ｃを設定する。
【０１００】
以上のように、本発明の実施形態では、駆動力源であるエンジン１の出力を、ロックアップクラッチ３５を有するトルクコンバータ３０を介して変速機４から出力する車両に適用される。コントローラ１２は、車両の発進要求をブレーキペダル又はアクセルペダルの状態によって検出する発進要求検出部と、ロックアップクラッチ３５の締結力を制御する油圧制御回路１１に指令を行い、前記ロックアップクラッチが伝達可能なトルクを制御する締結制御部として機能する。コントローラ１２は、発進要求を検出してから所定時間Ｔが経過したときに、ロックアップクラッチ３５がトルクを伝達可能に油圧制御回路１１に指令を行う。
【０１０１】
このように構成することによって、発進要求に基づきエンジン１のトルクが上昇してライン圧が増大したときに、ロックアップクラッチ３５がトルクを伝達しないように制御するので、ロックアップクラッチ３５の指令圧に対して実油圧が増大することが防止されて、車両発進時のショックを防止することができる。これは請求項１及び１０の効果に対応する。
【０１０２】
また、コントローラ１２は、発進要求を検出してから所定時間Ｔが経過するまで、ロックアップクラッチ３５がトルク伝達可能に準備するためのスタンバイ圧を、油圧制御回路１１に指令する。このスタンバイ圧の指令は、ロックアップクラッチ３５の締結時に一般的に行われている制御であり、このスタンバイ圧によって所定時間待機するという制御によって、車両発進時のショックを防止することができる。これは請求項２の効果に対応する。
【０１０３】
また、このスタンバイ圧は、ロックアップクラッチ３５がトルク伝達可能に準備する第２スタンバイ圧と、第２スタンバイ圧よりも低い圧力でロックアップクラッチ３５を待機させる第１スタンバイ圧と、を有する。これら第１及び第２スタンバイ圧の指令は、ロックアップクラッチ３５の締結時に一般的に行われている制御であり、このスタンバイ圧によって所定時間待機するという制御によって、車両発進時のショックを防止することができる。これは請求項３の効果に対応する。
【０１０４】
また、コントローラ１２は、アクセル開度やエンジントルクに基づいて駆動力要求を検出する駆動力要求検出部として機能する。駆動力要求が大きいほど、所定時間Ｔを大きく設定する。すなわち、エンジン１の駆動力要求が大きければ油圧制御回路１１のライン圧の増大も大きくなる。これに対して、駆動力要求が大きいほど所定時間Ｔを大きくして待機時間を長くすることにより、ロックアップクラッチ３５の指令圧に対して実油圧が増大することが防止されて、車両発進時のショックを防止することができる。これは請求項４の効果に対応する。
【０１０５】
また、コントローラ１２は、エンジン１の駆動力要求が最大となり油圧制御回路１１のライン圧が上昇した場合にも、ロックアップクラッチがトルクを伝達不能な圧力である第２スタンバイ圧を油圧制御回路１１に指令する。これにより、ライン圧が最大限に増大した場合にもロックアップクラッチ３５がトルク容量を持つことが防止されて、車両発進時のショックを防止することができる。これは請求項５の効果に対応する。なお、駆動力要求が最大とは、例えばアクセル開度が最大（８／８）の場合であるが、エンジン１の出力やトルクコンバータ３０の特性により、例えばアクセル開度ＡＰＯが（２／８）である場合を駆動力の最大として、アクセル開度がそれを超える場合は、発進時のロックアップクラッチ３５のスリップ制御を行わないように制御してもよい。
【０１０６】
また、コントローラ１２は、アクセル開度ＡＰＯとアクセル開速度ΔＡＰＯとの組、及び、エンジントルクＴｒｑとエンジントルク変化量ΔＴｒｑとの組の少なくとも一方に基づいて、駆動力要求を検出する。
【０１０７】
例えば、アクセル開度ＡＰＯが大きいほどライン圧の増大は大きくなるが、アクセル開速度ΔＡＰＯが小さい場合には、ロックアップクラッチ３５の実油圧が指令圧対してオーバーシュートすることなく追従することができる。逆に、アクセル開度ＡＰＯが小さい場合はライン圧の増大は小さくなるが、アクセル開速度ΔＡＰＯが大きい場合には、ロックアップクラッチ３５の実油圧が指令圧対して追従できなくなりショックが発生する可能性がある。エンジントルクＴｒｑとエンジントルク変化量ΔＴｒｑとの関係も同様である。
【０１０８】
従って、これらを組にして制御することにより、正確にロックアップクラッチ３５の容量を制御することができて、ロックアップクラッチ３５の指令圧に対して実油圧が増大することが防止されて、車両発進時のショックを防止することができる。これは請求項６の効果に対応する。
【０１０９】
また、コントローラ１２は、第２フェーズにおいて、所定時間Ｔが経過するまで、ロックアップクラッチ３５に第１及び第２スタンバイ圧を指令し、所定時間Ｔが経過した後は、ロックアップクラッチ３５がトルクを伝達可能となるまで、指令値を所定勾配Ｃで上昇させ、この所定勾配Ｃを、駆動力要求が大きいほど大きな変化勾配とする。すなわち、駆動力要求が小さい場合は、ロックアップクラッチ３５のトルク容量を持たせるときに指令値の変化を緩やかとして、トルク容量を持つときのエンジントルクの引きによるショックを低減できる。また、駆動力要求が大きい場合は、トルク容量を持つときのショックが駆動力の上昇により緩和されるため、より早期にトルク容量を持たせることができる。これは請求項７の効果に対応する。
【０１１０】
また、コントローラ１２は、第１及び第２スタンバイ圧からロックアップクラッチ３５がトルクを伝達可能となるまでの指令値をステップ状に上昇させてもよいし、一旦ステップ状に上昇させてから勾配状に上昇させても、一旦勾配状に上昇させてからステップ状に上昇させてもよい。このように、第２フェーズから第３フェーズへの移行時に、さまざまな適応をもたせることができる。これは請求項８及び９の効果に対応する。
【０１１１】
以上、本発明の実施形態について説明したが、上記実施形態は本発明の適用例の一つを示したものに過ぎず、本発明の技術的範囲を上記実施形態の具体的構成に限定する主旨ではない。
【０１１２】
例えば、変速機４は有段変速機であってもよいし、Ｖベルトやチェーンを一組のプーリの間に掛け回される無段変速機であってもよい。または、入力ディスクと出力ディスクの間に傾転可能なパワーローラを配置するトロイダル式無段変速機であってもよい。
【０１１３】
また、上記実施形態では、トルクコンバータ３０のロックアップクラッチ３５は、アプライ圧Ｐａとレリーズ圧Ｐｒとの差圧によりトルク容量が制御される構成を示したがこれに限られず、多板クラッチを有するロックアップクラッチでもよい。この場合、第２スタンバイ圧を多板クラッチ制御におけるプリチャージ圧とすることができる。
【０１１４】
また、上記実施形態では、第２フェーズから第３フェーズへの移行を所定時間Ｔの経過に基づき判断しているが、これに限られない。例えば、エンジン回転速度Ｎｅやライン圧が所定値となってことに基づき第２フェーズから第３フェーズへの移行を判断してもよい。
【符号の説明】
【０１１５】
１    エンジン（駆動力源）
４    変速機
６    終減速装置
７    駆動輪
１１    油圧制御回路
１２    コントローラ
３０    トルクコンバータ
３１    ポンプインペラ
３２    タービンランナ
３３    ステータ
３４    トルクコンバータカバー
３５    ロックアップクラッチ
３９    オイルポンプ
４１    アクセル開度センサ
４７    ブレーキセンサ
【図１】
0005767997.tif 000002
【図２】
0005767997.tif 000003
【図３】
0005767997.tif 000004
【図４】
0005767997.tif 000005
【図５】
0005767997.tif 000006
【図６】
0005767997.tif 000007
【図７】
0005767997.tif 000008